(57)【要約】      （修正有）【課題】ハイブリッド自動車におけるエンジンの駆動力のみを用いるエンジン走行モードにおいて、モータジェネレータを含むモータ駆動系全体の引きずりトルクを打ち消す。【解決手段】エンジン１と、モータジェネレータ２０と、インバータ３と、蓄電装置４とを有するハイブリッド車両において、エンジン１の駆動力のみで走行制御を行うエンジン走行モードにおいて、蓄電装置４の蓄電量が所定値以上の場合に、トルク指令値、モータジェネレータ２０の回転数及びインバータ入力ＤＣ電圧値に基づいて、電流指令値演算部がモータジェネレータ２０がエンジン１に与える負荷をゼロとするトルク電流指令値及び弱め界磁電流指令値を演算し、電流指令値補正部が、モータジェネレータ２０以外のモータ駆動系２がエンジン１に与える負荷をゼロとするトルク電流補正値及び弱め界磁電流補正値を演算する。【選択図】図１
2015051676.tif 000002
【特許請求の範囲】
【請求項１】
エンジンと、モータジェネレータと、当該モータジェネレータを駆動するためのインバータと、当該インバータを介して前記モータジェネレータとの間で電力の充放電を行う蓄電装置とを有するハイブリッド車両において、前記エンジン及び前記モータジェネレータの駆動力を用いて走行制御を行うハイブリッド走行モードと、前記エンジンの駆動力のみを用いて走行制御を行うエンジン走行モードとを切り替えるハイブリッド車両用制御装置であって、
前記モータジェネレータが出力すべきトルクを示すトルク指令値、前記モータジェネレータの回転数及び、前記インバータに入力されるインバータ入力ＤＣ電圧値に基づいて、前記インバータに入力するトルク電流指令値及び弱め界磁電流指令値を演算する電流指令値演算部と、
前記モータジェネレータの回転数及び前記インバータ入力ＤＣ電圧値に基づいて、前記トルク電流指令値及び前記弱め界磁電流指令値に加算するトルク電流補正値及び弱め界磁電流補正値を演算する電流指令値補正部とを備え、
前記エンジン走行モードにおいて、前記蓄電装置の蓄電量が所定値以上の場合に、前記電流指令値演算部が、前記モータジェネレータが前記エンジンに与える負荷をゼロとするトルク電流指令値及び弱め界磁電流指令値を演算し、前記電流指令値補正部が、前記モータジェネレータ以外のモータ駆動系が前記エンジンに与える負荷をゼロとするトルク電流補正値及び弱め界磁電流補正値を演算するハイブリッド車両用制御装置。
【請求項２】
前記モータジェネレータの回転数毎に予め測定された、前記モータジェネレータ以外のモータ駆動系がエンジンに与える負荷をゼロとするトルク電流補正値及び弱め界磁電流補正値を示す電流補正値データを格納する電流補正値データ格納部をさらに備え、
前記電流指令値補正部が、前記モータジェネレータの回転数に基づいて、前記電流補正値データ格納部に格納された電流補正値データを用いて、前記トルク電流補正値及び前記弱め界磁電流補正値を演算するものである請求項１記載のハイブリッド車両用制御装置。
【請求項３】
前記電流指令値補正部が、前記蓄電装置の蓄電量が満充電状態の場合に、前記トルク電流補正値及び前記弱め界磁電流補正値を演算するものである請求項１又は２記載のハイブリッド車両用制御装置。
【請求項４】
エンジンと、モータジェネレータと、当該モータジェネレータを駆動するためのインバータと、当該インバータを介して前記モータジェネレータとの間で電力の充放電を行う蓄電装置とを有するハイブリッド車両において、前記エンジン及び前記モータジェネレータの駆動力を用いて走行制御を行うハイブリッド走行モードと、前記エンジンの駆動力のみを用いて走行制御を行うエンジン走行モードとを切り替えるハイブリッド車両用制御プログラムであって、
前記モータジェネレータが出力すべきトルクを示すトルク指令値、前記モータジェネレータの回転数及び、前記インバータに入力されるインバータ入力ＤＣ電圧値に基づいて、前記インバータに入力するトルク電流指令値及び弱め界磁電流指令値を演算する電流指令値演算部と、
前記モータジェネレータの回転数及び前記インバータ入力ＤＣ電圧値に基づいて、前記トルク電流指令値及び前記弱め界磁電流指令値に加算するトルク電流補正値及び弱め界磁電流補正値を演算する電流指令値補正部と、としての機能をコンピュータに備えさせ、
前記エンジン走行モードにおいて、前記蓄電装置の蓄電量が所定値以上の場合に、前記電流指令値演算部が、前記モータジェネレータが前記エンジンに与える負荷をゼロとするトルク電流指令値及び弱め界磁電流指令値を演算し、前記電流指令値補正部が、前記モータジェネレータ以外のモータ駆動系が前記エンジンに与える負荷をゼロとするトルク電流補正値及び弱め界磁電流補正値を演算することを特徴とするハイブリッド車両用制御プログラム。
【発明の詳細な説明】
【技術分野】
【０００１】
本発明は、ハイブリッド車両に用いられるハイブリッド車両用制御装置及び制御方法に関するものである。
【背景技術】
【０００２】
ハイブリッド車両は、エンジンと、モータジェネレータと、当該モータジェネレータを駆動するためのインバータと、当該インバータを介して前記モータジェネレータとの間で電力の充放電を行う蓄電装置とを有している。
【０００３】
ここで、ハイブリッド自動車の方式の一つに、エンジンと、モータ駆動系とが機械的に直結されているものがある。ここで、モータ駆動系とは、前記モータジェネレータと、当該モータジェネレータの駆動力をエンジンの駆動軸に伝達するベルト及びプーリとにより構成されるものである。このようなエンジン及びモータ駆動系直結方式のハイブリッド自動車では、エンジンの駆動力のみを用いるエンジン走行モードにおいて、前記モータジェネレータで生じる鉄損等の損失、つまりエンジン出力に対する減速方向の引きずりトルクが発生する。
【０００４】
このような問題を解決するために、モータジェネレータ単体の引きずりトルクを打ち消すためのトルクをモータジェネレータに発生させ、前記モータジェネレータの引きずりトルクがエンジン出力を阻害しないようにゼロトルク制御するものがある（特許文献１参照）。
【０００５】
しかしながら、前記モータ駆動系を構成するベルトやプーリ等の機械要素でも回転抵抗、つまりエンジン出力に対する減速方向の機械出力（負荷）が発生している。したがって、特許文献１に記載されているようなモータジェネレータ単体の引きずりトルクを打ち消すためのゼロトルク制御をしたとしても、前記モータ駆動系全体としては、エンジン出力に対する減速方向の出力が発生しており、エンジンに負荷を与えているという問題がある。
【先行技術文献】
【特許文献】
【０００６】
【特許文献１】特開２０１３−４９３５９号公報
【発明の概要】
【発明が解決しようとする課題】
【０００７】
そこで本発明は、上記問題点を解決すべくなされたものであり、ハイブリッド自動車におけるエンジンの駆動力のみを用いるエンジン走行モードにおいて、モータジェネレータ及び当該モータジェネレータとエンジンとを直結するための機械要素からなるモータ駆動系の引きずりトルクをゼロにし、エンジンに負荷を与えないことを主たる所期課題とするものである。
【課題を解決するための手段】
【０００８】
すなわち本発明に係るハイブリッド車両用制御装置は、エンジンと、モータジェネレータと、当該モータジェネレータを駆動するためのインバータと、当該インバータを介して前記モータジェネレータとの間で電力の充放電を行う蓄電装置とを有するハイブリッド車両において、前記エンジン及び前記モータジェネレータの駆動力を用いて走行制御を行うハイブリッド走行モードと、前記エンジンの駆動力のみを用いて走行制御を行うエンジン走行モードとを切り替えるハイブリッド車両用制御装置であって、前記モータジェネレータが出力すべきトルクを示すトルク指令値、前記モータジェネレータの回転数及び、前記インバータに入力されるインバータ入力ＤＣ電圧値に基づいて、前記インバータに入力するトルク電流指令値及び弱め界磁電流指令値を演算する電流指令値演算部と、前記モータジェネレータの回転数及び前記インバータ入力ＤＣ電圧値に基づいて、前記トルク電流指令値及び前記弱め界磁電流指令値に加算するトルク電流補正値及び弱め界磁電流補正値を演算する電流指令値補正部とを備え、前記エンジン走行モードにおいて、前記蓄電装置の蓄電量が所定値以上の場合に、前記電流指令値演算部が、前記モータジェネレータが前記エンジンに与える負荷をゼロとするトルク電流指令値及び弱め界磁電流指令値を演算し、前記電流指令値補正部が、前記モータジェネレータ以外のモータ駆動系が前記エンジンに与える負荷をゼロとするトルク電流補正値及び弱め界磁電流補正値を演算することを特徴とする。
【０００９】
このようなものであれば、前記モータジェネレータの回転数とインバータ入力ＤＣ電圧値とに基づいて、前記電流指令値演算部が、前記モータジェネレータが前記エンジンに与える負荷をゼロとするトルク電流指令値及び弱め界磁電流指令値を演算し、前記電流指令値補正部が、前記モータジェネレータ以外のモータ駆動系が前記エンジンに与える負荷をゼロとするトルク電流補正値及び弱め界磁電流補正値を演算するので、前記モータジェネレータ及び前記モータ駆動系の引きずりトルクを打ち消し、エンジンに負荷を与えないことが可能になる。また、前記トルク電流指令値及び前記弱め界磁電流指令値にそれぞれ前記トルク電流補正値及び前記弱め界磁電流補正値を加算するので、最適な電流値で前記モータジェネレータを駆動させることができ、前記モータジェネレータの効率の低下を最小限に抑えることができる。
【００１０】
前記モータジェネレータの回転数毎に予め測定された、前記モータジェネレータ以外のモータ駆動系がエンジンに与える負荷をゼロとするトルク電流補正値及び弱め界磁電流補正値を示す電流補正値データを格納する電流補正値データ格納部をさらに備え、前記電流指令値補正部が、前記モータジェネレータの回転数とインバータ入力ＤＣ電圧とに基づいて、前記電流補正値データ格納部に格納された電流補正値データを用いて、前記トルク電流補正値及び前記弱め界磁電流補正値を演算するものであることが望ましい。
これならば、前記モータジェネレータの回転数毎に予め測定された電流補正値データを用いて前記トルク電流補正値及び前記弱め界磁電流補正値を演算するので、前記モータ駆動系がエンジンに与える負荷を精度よくゼロにすることができるとともに、制御内容を簡略化することができる。
また、前記モータジェネレータの回転数毎に予め測定された、前記モータジェネレータが前記エンジンに与える負荷をゼロとするためにトルク電流指令値及び弱め界磁電流指令値に加算する補正値を示す指令値演算用補正データを格納する指令値演算用補正データ格納部をさらに備え、前記電流指令値演算部が、トルク指令値、前記モータジェネレータの回転数及び、前記インバータに入力されるインバータ入力ＤＣ電圧値に基づいて、前記指令値演算用補正データ格納部に格納された指令値演算用補正データを用いて、前記トルク電流指令値及び前記弱め界磁電流指令値を演算するものであることが望ましい。
これならば、前記モータジェネレータの回転数毎に予め測定された指令値演算用補正データを用いて前記トルク電流指令値及び前記弱め界磁電流指令値を演算するので、前記モータジェネレータがエンジンに与える負荷を精度よくゼロにすることができるとともに、制御内容を簡略化することができる。
【００１１】
前記電流指令値補正部が、前記蓄電装置の蓄電量が満充電状態の場合に、前記トルク電流補正値及び前記弱め界磁電流補正値を演算するものであることが望ましい。
これならば、前記蓄電装置を過不足なく充電することができるとともに、前記蓄電装置の過充電を防止し、前記蓄電装置の劣化を防ぐことができる。
【発明の効果】
【００１２】
このように構成した本発明によれば、ハイブリッド自動車におけるエンジンの駆動力のみを用いるエンジン走行モードにおいて、モータジェネレータ及び当該モータジェネレータとエンジンとを直結するための機械要素からなるモータ駆動系の引きずりトルクをゼロにし、エンジンに負荷を与えないことが可能になる。
【図面の簡単な説明】
【００１３】
【図１】本実施形態におけるハイブリッド車両の構成を示す概略図。
【図２】本実施形態におけるハイブリッド車両用制御装置の回路構成を示す図。
【図３】本実施形態におけるモータジェネレータ回転数とトルク電流補正値及び弱め界磁電流補正値との関係（一例）を示す図。
【発明を実施するための形態】
【００１４】
以下に本発明に係るハイブリッド車両用制御装置の一実施形態について図面を参照して説明する。
【００１５】
本実施形態に係るハイブリッド車両用制御装置１００は、図１に示すように、エンジン１と、モータジェネレータ２０を含むモータ駆動系２と、モータジェネレータ２０を駆動するためのインバータ３と、インバータ３を介してモータジェネレータ２０との間で電力の充放電を行う蓄電装置４と、車両の各補機７及び直流補助電源８に給電する補機類電力系統Ｓ１と、モータジェネレータ２０を力行運転又は回生運転するモータ電力系統Ｓ２とを有するハイブリッド車両に適用されるものである。
【００１６】
補機類電力系統Ｓ１は、直流主電源となる蓄電装置４（例えば４８Ｖのリチウムイオンバッテリ）と、当該蓄電装置４の出力端子に接続された電路の開閉を行うスイッチ５（ＤＣコンタクタ）と、当該スイッチ５の下流に設けられた平滑コンデンサ６（直流リンクコンデンサ）と、当該平滑コンデンサ６とを介して接続され、車両の各補機（例えば電動パワーステアリング、エアコンディショナ、ＥＣＵ等）７及び直流補助電源（例えば１２Ｖ／２４Ｖバッテリ）８に給電する系統である。また、補機類電力系統Ｓ１は、ＤＣ／ＤＣコンバータ９を有するものであり、当該ＤＣ／ＤＣコンバータ９の出力段には、車両の各補機７と直流補助電源８とが並列に接続されている。
【００１７】
モータ電力系統Ｓ２は、平滑コンデンサ６を介して補機類電力系統Ｓ１と並列に接続され、蓄電装置４からの直流電圧の電圧変換を行う昇圧回路１０と、当該昇圧回路１０から出力される直流電圧を交流電圧に変換してモータジェネレータ２０に出力するインバータ３とを備える。
【００１８】
ここで、本実施形態に係るハイブリッド車両は、エンジン１及びモータジェネレータ２０の動力を並列で車輪の駆動に使用するパラレル方式を採用したものである。具体的には、図１に示すように、エンジン１の駆動軸１１と、モータジェネレータ２０を含み、ベルト２１やプーリ２２等により構成されるモータ駆動系２とが直結されるとともに、クラッチ等を設けられておらず、切り離しできない構造、つまり、エンジン１と、モータジェネレータ２０とが常に機械的に接続されているものである。
【００１９】
そして、このハイブリッド車両を制御するハイブリッド車両用制御装置１００は、エンジン１の駆動力のみを用いて走行制御を行うエンジン走行モードＭ１と、エンジン１の駆動力に加えてモータジェネレータ２０の駆動力を補助的に用いて走行制御を行うハイブリッド走行モードＭ２とを切り替えるものである。
【００２０】
具体的にハイブリッド車両用制御装置１００は、図２に示すように、インバータ３に入力するトルク電流指令値Ｃｑ及び弱め界磁電流指令値Ｃｄを演算する電流指令値演算部１０１と、蓄電装置４の蓄電量が所定値以上の場合に、トルク電流指令値Ｃｑ及び弱め界磁電流指令値に加算するトルク電流補正値Ｒｑ及び弱め界磁電流補正値Ｒｄを演算する電流指令値補正部１０２と、トルク電流補正値Ｒｑ及び弱め界磁電流補正値Ｒｄを、トルク電流指令値Ｃｑ及び弱め界磁電流指令値Ｃｄに加算する加算器１０３とを備える。
【００２１】
電流指令値演算部１０１は、モータジェネレータ２０が出力すべきトルクを示し、ＥＣＵ（エンジンコントロールユニット）から入力されるトルク指令値と、モータジェネレータ２０の回転数、及びインバータ３に入力される直流電圧値であるインバータ入力ＤＣ電圧値とに基づいて、トルク電流指令値Ｃｑ及び弱め界磁電流指令値Ｃｄを演算する。
【００２２】
具体的には、電流指令値演算部１０１は、ハイブリッド車両が、エンジン走行モードＭ１又はハイブリッド走行モードＭ２のうち選択されている走行モードに応じて、モータジェネレータ２０に所定のトルクを発生させるようにトルク電流指令値Ｃｑ及び弱め界磁電流指令値Ｃｄを演算する。
【００２３】
さらに具体的に説明すると、ハイブリッド車両がエンジン走行モードＭ１で走行しているときは、電流指令値演算部１０１は、蓄電装置４の蓄電量が所定値以下の場合にはモータジェネレータ２０が回生運転するようにトルク電流指令値Ｃｑ及び弱め界磁電流指令値Ｃｄを演算する。また、蓄電装置４の蓄電量が所定値以上の場合、例えば蓄電装置４の蓄電量が満充電状態の場合に、には、モータジェネレータ２０単体の引きずりトルク、つまりモータジェネレータ２０単体でエンジン１に与える負荷がゼロになるようなトルク電流指令値Ｃｑ及び弱め界磁電流指令値Ｃｄを演算する。さらに、ハイブリッド車両がハイブリッド走行モードＭ２で走行しているときは、電流指令値演算部１０１は、モータジェネレータ２０がエンジン１を補助（力行運転）するように所定のトルクを発生させるためのトルク電流指令値Ｃｑ及び弱め界磁電流指令値Ｃｄを演算する。
【００２４】
ここで、電流指令値演算部１０１は、エンジン走行モードＭ１で走行しているときであって、蓄電装置４の蓄電量が所定値以上の場合、例えば蓄電装置４の蓄電量が満充電状態の場合に、指令値演算用補正データを用いて、トルク電流指令値Ｃｑ及び弱め界磁電流指令値Ｃｄを演算する。具体的にこの指令値演算用補正データは、モータジェネレータ２０により生じる引きずりトルク、つまりモータジェネレータ２０がエンジン１に与える負荷をゼロにするようにトルク電流指令値Ｃｑ及び弱め界磁電流指令値Ｃｄに加算する指令値を示すデータである。
【００２５】
電流指令値補正部１０２は、エンジン走行モードＭ１で走行しているときであって、蓄電装置４の蓄電量が所定値以上の場合、例えば蓄電装置４の蓄電量が満充電状態の場合に、トルク電流補正値Ｒｑ及び弱め界磁電流補正値Ｒｄを示す電流補正値データを用いて、トルク電流指令値Ｃｑ及び弱め界磁電流指令値Ｃｄに加算するトルク電流補正値Ｒｑ及び弱め界磁電流補正値Ｒｄを演算する。そして、図２に示すように、電流指令値補正部１０２が演算したトルク電流補正値Ｒｑ及び弱め界磁電流補正値Ｒｄを加算器１０３に入力し、加算器１０３がトルク電流指令値Ｃｑ及び弱め界磁電流指令値Ｃｄにトルク電流補正値Ｒｑ及び弱め界磁電流補正値Ｒｄを加算する。
【００２６】
ここで、電流補正値データは、モータジェネレータ２０以外のモータ駆動系２により生じる引きずりトルク、つまりモータ駆動系２がエンジン１に与える負荷をゼロにするようなトルク電流補正値Ｒｑ及び弱め界磁電流補正値Ｒｄを示すデータである。具体的には、モータ駆動系２を構成するモータジェネレータ２０以外の機械要素、例えばベルト２１やプーリ２２等の機械要素で生じる機械的損失（負荷）をゼロにするようにトルク電流補正値Ｒｑ及び弱め界磁電流補正値Ｒｄが設定されている。
【００２７】
このトルク電流補正値Ｒｑ及び弱め界磁電流補正値Ｒｄは、モータジェネレータ２０以外のモータ駆動系２がエンジン１に与える負荷が各ハイブリッド車両によって異なることから、各ハイブリッド車両により個別に設定されるものである。
【００２８】
トルク電流補正値Ｒｑ及び弱め界磁電流補正値Ｒｄの設定方法の一例としては、図３に示すように、エンジン１及びモータジェネレータ２０を含むモータ駆動系２をハイブリッド車両に搭載した状態でモータジェネレータ２０以外のモータ駆動系２がエンジン１に与える負荷をモータジェネレータ２０の回転数毎に測定し、当該負荷に基づいて設定する方法が考えられる。
【００２９】
ここで、測定されたトルク電流補正値Ｒｑ及び弱め界磁電流補正値Ｒｄは、モータジェネレータ２０の回転数と各補正値との関係を示す表形式のデータとして格納されていても良いし、多項式近似した数式データとして格納されているものでも良い。
【００３０】
このように構成したハイブリッド車両用制御装置１００によれば、モータジェネレータ２０の回転数及びインバータ入力ＤＣ電圧値に基づいて、電流指令値演算部１０１がモータジェネレータ２０単体がエンジン１に与える負荷がゼロになるようなトルク電流指令値Ｃｑ及び弱め界磁電流指令値Ｃｄを演算し、電流指令値補正部１０２がモータジェネレータ２０以外のモータ駆動系２がエンジン１に与える負荷がゼロになるようなトルク電流補正値Ｒｑ及び弱め界磁電流補正値Ｒｄを演算し、トルク電流指令値Ｃｑ及び弱め界磁電流指令値Ｃｄとトルク電流補正値Ｒｑ及び弱め界磁電流補正値Ｒｄとを加算するので、モータジェネレータ２０及びモータ駆動系２の両方の引きずりトルクをゼロにし、エンジン１に負荷を与えないことが可能になる。また、トルク電流指令値Ｃｑ及び弱め界磁電流指令値Ｃｄにそれぞれトルク電流補正値Ｒｑ及び弱め界磁電流補正値Ｒｄを加算するので、最適な電流値でモータジェネレータ２０を駆動させることができ、モータジェネレータ２０の効率の低下を最小限に抑えることができる。
【００３１】
また、電流指令値演算部１０１が、予め測定された、モータジェネレータ２０がエンジン１に与える負荷をゼロにするようなトルク電流指令値Ｃｑ及び弱め界磁電流指令値Ｃｄを示す指令値演算用補正データを用いて、トルク電流指令値Ｃｑ及び弱め界磁電流指令値Ｃｄを演算するので、モータジェネレータ２０がエンジンに与える負荷を精度よくゼロにすることができるとともに、制御内容を簡略化することができる。
同様に、電流指令値補正部１０２が、予め設定された、モータ駆動系２がエンジン１に与える負荷をゼロにするようなトルク電流補正値Ｒｑ及び弱め界磁電流補正値Ｒｄを示す電流補正値データを用いて、トルク電流補正値Ｒｑ及び弱め界磁電流補正値Ｒｄを演算するので、モータ駆動系２がエンジン１に与える負荷を精度よくゼロにすることができるとともに、制御内容を簡略化することができる。
【００３２】
さらに、蓄電装置４の蓄電量が満充電状態の場合に、モータジェネレータ２０及びモータ駆動系２がエンジン１に与える負荷がゼロになるように、電流指令値演算部１０１がトルク電流指令値Ｃｑ及び弱め界磁電流指令値Ｃｄを演算し、電流指令値補正部１０２がトルク電流補正値Ｒｑ及び弱め界磁電流補正値Ｒｄを演算するので、蓄電装置４を過不足なく充電することができるとともに、蓄電装置４の過充電を防止し、蓄電装置４の劣化を防ぐことができる。
【００３３】
なお、本発明は前記実施形態に限られるものではない。
例えば、モータジェネレータ２０及びモータ駆動系２がエンジン１に与える負荷がゼロになるように、電流指令値演算部１０１がトルク電流指令値Ｃｑ及び弱め界磁電流指令値Ｃｄを演算し、電流指令値補正部１０２がトルク電流補正値Ｒｑ及び弱め界磁電流補正値Ｒｄを演算するのは、蓄電装置４の蓄電量が満充電状態の場合に限られるものではなく、モータジェネレータ２０がエンジン１の駆動力を補助しない場合に広く適用できる。
【００３４】
また、ハイブリッド車両用制御装置１００が適用されるハイブリッド車両は、エンジン１の駆動軸１１と、モータジェネレータ２０を含み、ベルト２１やプーリ２２等により構成されるモータ駆動系２とが直結されるものに限られず、例えばクラッチ等を設けるなど、エンジン１とモータ駆動系２とが機械的に切り離し可能なものでも良い。
【００３５】
さらに、モータ電力系統Ｓ２は、昇圧回路１０を有するものに限られず、昇圧回路１０が無い構成でも良い。
【００３６】
加えて、指令値演算用補正データは、専用の指令値演算用補正データ格納部（不図示）に格納されていても良いし、電流指令値演算部１０１に格納されていても良い。
同様に、電流補正値データは、専用の電流補正値データ格納部（不図示）に格納されていても良いし、電流指令値補正部１０２に格納されていても良い。
【００３７】
その他、本発明は前記実施形態に限られず、その趣旨を逸脱しない範囲で種々の変形が可能であるのは言うまでもない。
【符号の説明】
【００３８】
１００・・・ハイブリッド車両用制御装置
１    ・・・エンジン
１１  ・・・駆動軸
２    ・・・モータ駆動系
２０  ・・・モータジェネレータ
２１  ・・・ベルト
２２  ・・・プーリ
３    ・・・インバータ
４    ・・・蓄電装置
５    ・・・スイッチ
６    ・・・平滑コンデンサ
７    ・・・補機
８    ・・・直流補助電源
９    ・・・ＤＣ／ＤＣコンバータ
１０  ・・・昇圧回路
１０１・・・電流指令値演算部
１０２・・・電流指令値補正部
【図１】
2015051676.tif 000003
【図２】
2015051676.tif 000004
【図３】
2015051676.tif 000005